(57)【要約】【課題】赤外線信号を良好に発信させて、機器への赤外線信号の伝達を確実に行うことができる浴室リモコン装置を提供する。【解決手段】浴室Ｂの縦壁面Ｂｗに固定される筐体２と、機器Ａの制御用赤外線信号を送信する赤外線送信部１１とを備える。赤外線送信部１１は、砲弾型の赤外線発光ダイオード９，１０と、赤外線発光ダイオード９，１０を収容する発光ダイオード収容部７，８と、発光ダイオード収容部７，８を覆う赤外線透過部材６とを備える。筐体２の背面を基準面ｓとしたとき、赤外線発光ダイオード９，１０は、長手方向の軸線ｘが基準面ｓに対して傾斜する姿勢で発光ダイオード収容部７，８に収容される。【選択図】図４
2019062433.tif 000002
【特許請求の範囲】
【請求項１】
浴室に設置されて、機器の運転を遠隔操作する浴室リモコン装置において、
浴室の壁に背面側が固定される筐体と、該筐体に設けられて前記機器の制御用赤外線信号を送信する赤外線送信部とを備え、
前記赤外線送信部は、半導体発光部を備える砲弾型の赤外線発光ダイオードと、該赤外線発光ダイオードを収容する発光ダイオード収容部と、該発光ダイオード収容部の前面を覆う赤外線透過部材とを備え、
前記筐体の背面を基準面としたとき、前記赤外線発光ダイオードは、長手方向の軸線が前記基準面に対して傾斜する姿勢で前記発光ダイオード収容部に収容されることを特徴とする浴室リモコン装置。
【請求項２】
前記赤外線発光ダイオードは、長手方向の軸線が水平方向を向く姿勢で前記発光ダイオード収容部に収容されることを特徴とする請求項１記載の浴室リモコン装置。
【請求項３】
前記赤外線発光ダイオードは、少なくとも２つ設けられて前記発光ダイオード収容部に収容され、
一方の前記赤外線発光ダイオードと、他方の前記赤外線発光ダイオードとは、長手方向の軸線が互いに離反する姿勢に設けられていることを特徴とする請求項１又は２記載の浴室リモコン装置。
【請求項４】
前記赤外線透過部材は、前記筐体の前側外面と同一面となる外面を有することを特徴とする請求項１〜３の何れか１項記載の浴室リモコン装置。
【発明の詳細な説明】
【技術分野】
【０００１】
本発明は、浴室に設置されて、機器を遠隔操作する浴室リモコン装置に関する。
【背景技術】
【０００２】
従来、浴室に設置されるリモコン装置として、給湯器を浴室内から遠隔操作するためのものが知られている（例えば、特許文献１参照）。このものでは、筐体が浴室の壁面に固定され、筐体の前面に設けられたスイッチ類を操作することにより給湯器の操作が行われる。
【０００３】
更に、浴室の天井に浴室暖房乾燥機等の空調機を設置する場合には、給湯器に対する操作機能と空調機に対する操作機能とを有する浴室リモコン装置が設けられる。この浴室リモコン装置においては、空調機との距離が比較的近いことにより、空調機に赤外線受信部を設け、浴室リモコン装置に赤外線送信部を設けて浴室リモコン装置と空調機とで赤外線通信による制御を行うことができる。
【０００４】
赤外線通信を採用することで、浴室リモコン装置と空調機とをリード線によって配線する作業を不要とすることができ、例えば、空調機を追加で取り付ける際の施工時の手間を軽減することができる。
【先行技術文献】
【特許文献】
【０００５】
【特許文献１】特開２００４−３０１４２１号公報
【発明の概要】
【発明が解決しようとする課題】
【０００６】
しかし、浴室リモコン装置と空調機との通信に赤外線通信を採用した場合、リード線を介しての通信に比べて信号の伝達が確実に行われるとは限らない。例えば、浴室の壁に取り付けた浴室リモコン装置から赤外線信号が発信されても、その赤外線信号が浴室の天井に設置された機器に到達し難く、場合によっては、浴室リモコン装置を操作しても機器が反応しないことがある。
【０００７】
上記の点に鑑み、本発明は、赤外線信号を良好に発信させて、機器への赤外線信号の伝達を確実に行うことができる浴室リモコン装置を提供することを目的とする。
【課題を解決するための手段】
【０００８】
かかる目的を達成するために、本発明は、浴室に設置されて、機器の運転を遠隔操作する浴室リモコン装置において、浴室の壁に背面側が固定される筐体と、該筐体に設けられて前記機器の制御用赤外線信号を送信する赤外線送信部とを備え、前記赤外線送信部は、半導体発光部を備える砲弾型の赤外線発光ダイオードと、該赤外線発光ダイオードを収容する発光ダイオード収容部と、該発光ダイオード収容部の前面を覆う赤外線透過部材とを備え、前記筐体の背面を基準面としたとき、前記赤外線発光ダイオードは、長手方向の軸線が前記基準面に対して傾斜する姿勢で前記発光ダイオード収容部に収容されることを特徴とする。
【０００９】
浴室リモコン装置の赤外線送信部には、赤外線信号の発信源として砲弾型の赤外線発光ダイオードが設けられる。本発明によれば、発光ダイオード収容部に収容された赤外線発光ダイオードは、その長手方向の軸線が基準面に対して傾斜する姿勢とされる。これにより、当該軸線が基準面に対して直交する姿勢と比べて、半導体発光部がその光の出口となる発光ダイオード収容部の前面に近くなり、発光ダイオード収容部の前面を覆う赤外線透過部材を介して外方へ放出される赤外線の広がりが大きくなる。
【００１０】
このように、赤外線透過部材を透過した赤外線の広がりが十分に得られることにより、機器として例えば浴室の天井部に設けた空調機等に赤外線信号を確実に到達させることができる。
【００１１】
また、本発明において、前記赤外線発光ダイオードは、長手方向の軸線が水平方向を向く姿勢で前記発光ダイオード収容部に収容されることが好ましい。
【００１２】
これによると、赤外線発光ダイオードは、上方を向く姿勢ではなく、左右方向の何れかに傾く姿勢となる。左右方向の何れかに傾いている赤外線発光ダイオードの姿勢は、即ち、赤外線発光ダイオードの長手方向の軸線が基準面に対して傾斜する姿勢であることにより、前述した通り、半導体発光部は光の出口となる発光ダイオード収容部の前面に近くなる。よって、発光ダイオード収容部の前面から赤外線透過部材を介して外方へ放出される赤外線の広がりを十分に得ることができ、機器として例えば浴室の天井部に設けられた空調機等に赤外線信号を到達させることができる。
【００１３】
しかも、赤外線発光ダイオードが左右方向の何れかに傾く姿勢としたので、赤外線発光ダイオードの上部（発光ダイオード収容部の上壁）を赤外線透過部材で形成する必要がなく、発光ダイオード収容部の前面側にのみ赤外線透過部材を設けて十分な赤外線送信が行える。
【００１４】
また、本発明において、前記赤外線発光ダイオードは、少なくとも２つ設けられて前記発光ダイオード収容部に収容され、一方の前記赤外線発光ダイオードと、他方の前記赤外線発光ダイオードとは、長手方向の軸線が互いに離反する姿勢に設けられていることを特徴とする。
【００１５】
これによれば、夫々の赤外線発光ダイオードが異なる方向へ赤外線信号を送信するので、赤外線信号を効率よく放射させることができ、機器として例えば浴室の天井部に設けられた空調機等に赤外線信号を一層確実に到達させることができる。
【００１６】
ところで、浴室リモコン装置は、入浴中に濡れた手で操作されるだけでなく、湯水やシャンプー類がかかり易く、稀に浴室用洗剤やカビ取り剤といった薬剤もかかるような環境に設置される。そこで、赤外線発光ダイオードを赤外線透過部材によって覆うことで、赤外線発光ダイオードやその他の部品への水滴等の付着を防止することができる。
【００１７】
しかし、赤外線透過部材に水滴等が付着すると、赤外線発光ダイオードからの赤外線が透過し難くなって赤外線信号の送信に支障が生じるおそれがある。また、シャンプーや上記薬剤等の付着により赤外線透過部材の劣化が早まるおそれもある。このため、赤外線透過部材の汚れの付着による感度低下や赤外線透過部材の劣化を抑制することが望まれる。
【００１８】
そこで、本発明においては、前記赤外線透過部材が、前記筐体の前側外面と同一面となる外面を有していることを特徴とする。上述した通り、赤外線発光ダイオードは、その長手方向の軸線が基準面に対して傾斜する姿勢とされていることにより、赤外線透過部材を透過した赤外線の広がりが十分に得られる。このため、発光ダイオード収容部の前面を覆う赤外線透過部材の外面が筐体の前側外面と同一面に形成されていても、機器として例えば浴室の天井部に設けた空調機等に赤外線信号を確実に到達させることができる。
【００１９】
そして、赤外線透過部材の外面が筐体の前側外面と同一面であることにより、水やシャンプー等がかかりやすい筐体の上面に赤外線透過部材を設けた場合のような、筐体と赤外線透過部材との境界部分（継ぎ目）が筐体の上面に形成されないから、筐体内部への水等の侵入を抑制することができる。
【００２０】
しかも、赤外線透過部材の外面が筐体の前側外面と同一面（突出する部分がない、好ましくは平滑面である）ことにより、赤外線透過部材の外面に湯水やシャンプー、その他の薬剤等がかかっても、赤外線透過部材から円滑に流下して赤外線透過部材に留まることがない。これにより、赤外線透過部材の汚れによる感度低下を抑制することができるだけでなく、赤外線透過部材の劣化を抑えて耐久性を向上させることができる。
【図面の簡単な説明】
【００２１】
【図１】本発明の実施形態の浴室リモコン装置の設置状態を示す説明図。
【図２】本実施形態の浴室リモコン装置の外観を示す斜視図。
【図３】本実施形態の浴室リモコン装置における表示部を示す説明的正面図。
【図４】要部を破断して発光ダイオード収容部の上方から臨む説明図。
【図５】赤外線発光ダイオードの姿勢の説明図。
【発明を実施するための形態】
【００２２】
本発明の一実施形態を図面に基づいて説明する。図１に示すように、本実施形態の浴室リモコン装置１は、浴室Ｂの天井部Ｂｃに設けられた浴室暖房乾燥機Ａ（機器）を遠隔操作するものであり、浴室Ｂの壁面Ｂｗに設けられている。
【００２３】
浴室リモコン装置１は、図２に示すように、正面視長方形状の筐体２を備えている。筐体２は、浴室Ｂの壁面Ｂｗ（図１参照）に固定される後部材２ａと、後部材２ａに対して前方から水密に結合される前部材２ｂとで構成されている。
【００２４】
前部材２ｂの前面には、各種の操作スイッチ３ａ，３ｂ，３ｃ，３ｄ，３ｅが露出する第１操作部３と、各種の設定スイッチ類（図示されない）が開閉自在の蓋板４ａにより覆われて隠されている第２操作部４と、各種情報を表示する表示部５と、後述の赤外線送信部１１とを備えている。
【００２５】
図３に示すように、表示部５は、赤外線透過板６（赤外線透過部材）で覆われて、その内部には、給湯温度、風呂温度、現在時間等を表示する図示しない表示器が設けられている。なお、赤外線透過板６は、黒色（又は濃赤色）透明であるが、図面においては、便宜上無色で示している。よって、実際の表示部５は黒地に白色の文字等で表示される。
【００２６】
赤外線透過板６は、筐体２の前部材２ｂに水密にはめ込まれ、前部材２ｂの前側外面と同一面となる外面を備えている。赤外線透過板６は、本実施形態においては左右方向に僅かに湾曲しているが、上方向等に屈曲する形状部分を備えていない。また、赤外線透過板６の、前部材２ｂの前側外面と同一面となる外面は、突出するような部分は形成されていない。これにより、赤外線透過板６の外面は鉛直方向に広がるように設けられ、水滴やシャンプー等が付着しても円滑に流下して赤外線透過板６の外面に留まることはない。
【００２７】
赤外線透過板６で覆われている表示部５の上端部側には、図４に示すように、仕切壁１２によって２室に区画された発光ダイオード収容部７，８が形成されている。各発光ダイオード収容部７，８の内部には、夫々、赤外線発光ダイオード９，１０が収容されている。そして、発光ダイオード収容部７，８と赤外線発光ダイオード９，１０と赤外線透過板６の上端中央部とで赤外線送信１１が構成されている。仕切壁１２は、発光ダイオード収容部７，８を２室に区画すると同時に筐体２を補強する効果も有している。なお、仕切壁１２を設けることなく、発光ダイオード収容部７，８を連続する１室に形成してもよい。
【００２８】
この構成により、各発光ダイオード収容部７，８の前面を赤外線透過板６が覆う状態となる。各発光ダイオード収容部７，８の前面を覆う赤外線透過板６は、上述したように、水滴やシャンプー等の付着による汚れが抑えられているから、赤外線発光ダイオード９，１０から発生する赤外線は、赤外線透過板６を良好に通過する。また、赤外線透過板６は、シャンプーや薬剤等によって比較的劣化し易いが、シャンプーや薬剤等が赤外線透過板６に付着しても円滑に流下するので、耐久性も向上する。
【００２９】
赤外線発光ダイオード９，１０は、安価でコスト増加が抑えられることから所謂砲弾型のものが採用され、半導体発光部Ｄの一対のリード（アノードリードＬａ、カソードリードＬｃ）が延びる方向と反対側の発光方向に沿って長手に形成されている。
【００３０】
赤外線発光ダイオード９，１０は、水平方向であって左右方向を向いており、先端が互いに離反する姿勢とされている。即ち、赤外線発光ダイオード９，１０は、長手方向の軸線が水平方向を向く姿勢とされている。更に、筐体２の背面（図示されないが、後部材２ａの浴室Ｂの壁面Ｂｗへの取り付け面に相当する）を基準面ｓとしたとき、赤外線発光ダイオード９，１０は、長手方向の軸線ｘが基準面ｓに対して傾斜する姿勢で発光ダイオード収容部７，８に収容されている。
【００３１】
赤外線発光ダイオード９は、図５に実線で示すように、長手方向の軸線ｘを基準面ｓ（筐体２の背面）に対して傾斜させる姿勢に設けることで、赤外線発光ダイオード９を前進させることなく半導体発光部Ｄを前方に変位させることができ、半導体発光部Ｄを赤外線透過板６内面に近づけることができる。なお、図５においては一方の赤外線発光ダイオード９のみ示したが他方の発光ダイオード収容部８に収容されている赤外線発光ダイオード１０においても同様である。
【００３２】
こうすることにより、図２に示すように、外面に突出する部分が形成されていない（好ましくは平滑な）赤外線透過板６を前部材２ｂの前面にのみ設け、赤外線発光ダイオード９，１０の直上を赤外線が不透過である前部材２ｂの上面部分が覆っていても、浴室暖房乾燥機Ａに対して確実に赤外線信号を送信することができる。
【００３３】
そして、水滴やシャンプー等が付着して比較的留まり易い筐体２の上面部分には、赤外線透過板を設ける必要がないので、筐体２の上面部分に継ぎ目が形成されることもなく、筐体２内部への水滴等の侵入が確実に防止できる。また、筐体２の上面部分における赤外線の透過は考慮する必要がないため、耐久性を重視した材料により筐体２を形成することができる。
【００３４】
また、詳しくは図示しないが、本実施形態における表示部５は、発光ダイオード収容部７，８の並びに複数の表示用発光ダイオードが並べ設けられている。これらの表示用発光ダイオードは、筐体２の内部において仕切りを介して水平方向に並ぶ複数の収容部に各別に収容され、所謂ランプハウス構造を採用されている。これによって、表示用発光ダイオードの互いに隣り合う同士間の光漏れが防止でき、強度低下も抑えることができる。
【００３５】
なお、本実施形態においては、赤外線発光ダイオード９，１０を左右方向に傾けた例を示したが、本発明はこれに限るものではなく、赤外線信号の発信が円滑に行える方向に傾けることを妨げない。
【００３６】
また、本実施形態においては、２つの赤外線発光ダイオード９，１０を設けた例を示したが、本発明はこれに限るものではない。図示しないが、例えば、単一の赤外線発光ダイオードでのみ赤外線信号の送信を行う構成を採用してもよく、また３つ以上の赤外線発光ダイオードを設けて赤外線信号の送信を行う構成を採用してもよい。
【符号の説明】
【００３７】
１…浴室リモコン装置、２…筐体、６…赤外線透過板（赤外線透過部材）、７，８…発光ダイオード収容部、９，１０…赤外線発光ダイオード、１１…赤外線送信部、Ａ…浴室暖房乾燥機（機器）、Ｂ…浴室、Ｂｗ…壁面、Ｄ…半導体発光部、Ｌａ，Ｌｃ…リード、ｓ…基準面。
【図１】
2019062433.tif 000003
【図２】
2019062433.tif 000004
【図３】
2019062433.tif 000005
【図４】
2019062433.tif 000006
【図５】
2019062433.tif 000007